(57)【要約】  衝突保護メモリ（ＣＰＭ）のためのシステムおよび方法を提供する。このＣＰＭは、側壁を含むハウジングを含み、その側壁の少なくとも一部分は、無線周波（ＲＦ）放射を少なくとも部分的に通す。ハウジングは、ハウジングの外部から密閉可能な内部空洞を含む。このＣＰＭは、ハウジングの内部に位置する受信機も含む。その受信機は、側壁の少なくとも一部分を介して送信機に通信可能に結合するように構成される。このＣＰＭは、その受信機に通信可能に結合される、乗物の動作に関係するデータを記憶するためのメモリをさらに含む。【選択図】図１
2012522310.tif 000002
【特許請求の範囲】
【請求項１】
側壁を備えるハウジングであって、前記側壁の少なくとも一部分は無線周波（ＲＦ）放射を少なくとも部分的に通し、前記ハウジングは前記ハウジングの外部から密閉可能な内部空洞を含む、ハウジングと、
前記ハウジングの前記内部に位置する受信機であって、前記側壁の前記少なくとも一部分を介して送信機に通信可能に結合するように構成される、受信機と、
前記受信機に通信可能に結合される、乗物の動作に関係するデータを記憶するためのメモリと
を備える、衝突保護メモリ（ＣＰＭ）システム。
【請求項２】
前記ハウジングの側壁を貫いて伸びる電線がない、請求項１記載の衝突保護メモリシステム。
【請求項３】
前記ハウジングがセラミック材料からなる、請求項１記載の衝突保護メモリシステム。
【請求項４】
前記ハウジングが、前記空洞にアクセスできるようにする取外し可能な側壁を備える、請求項１記載の衝突保護メモリシステム。
【請求項５】
前記取外し可能な側壁がセラミック材料からなる、請求項４記載の衝突保護メモリシステム。
【請求項６】
前記ハウジングの前記外部に位置する送信機をさらに備える、請求項１記載の衝突保護メモリシステム。
【請求項７】
前記受信機が、前記側壁の前記一部分を介してデータ信号および電力のうちの少なくとも一方を受け取るように構成される、請求項１記載の衝突保護メモリシステム。
【請求項８】
前記受信機が、Ｂｌｕｅｔｏｏｔｈ、ＺｉｇＢｅｅ、ウルトラワイドバンド（ＵＷＢ）、およびワイヤレスＵＳＢのうちの少なくとも１つを含む形式でデータを受け取るように構成される、請求項１記載の衝突保護メモリシステム。
【請求項９】
前記受信機が、前記空洞の中に位置する誘導コイルであって、前記空洞の中にある装置に電力を供給するように構成される、誘導コイルを含む、請求項１記載の衝突保護メモリシステム。
【請求項１０】
前記メモリが、前記受信機に通信可能に結合される乗物の前記動作に関係するデータを記憶するように構成される、請求項１記載の衝突保護メモリシステム。
【請求項１１】
前記受信機がトランシーバの受信部分であり、前記トランシーバは、前記ハウジングの外部に位置する受信機にデータを伝送するようにさらに構成される、請求項１記載の衝突保護メモリシステム。
【請求項１２】
密閉されたハウジングで囲まれた保護メモリシステムにデータを伝送するための方法であって、
前記ハウジングの内部空洞の中に受信機を配置するステップと、
前記ハウジングの外部に近接して送信機を配置するステップと、
前記送信機から前記受信機に前記ハウジングを介してデータおよび電力のうちの少なくとも一方を伝送するステップと
を含む、方法。
【請求項１３】
前記受信機をメモリデバイスに通信可能に結合するステップをさらに含む、請求項１２記載の方法。
【請求項１４】
前記送信機から前記受信機に前記ハウジングを介してデータを伝送するステップが、前記送信機から前記受信機に、無線周波（ＲＦ）放射を実質的に通す前記ハウジングの一部分を介してデータを伝送するステップを含む、請求項１２記載の方法。
【請求項１５】
前記送信機から前記受信機に前記ハウジングを介してデータを伝送するステップが、前記送信機から前記受信機に無線でデータを伝送するステップを含む、請求項１２記載の方法。
【請求項１６】
乗物の動作に関係する複数のデータ信号を受け取るように構成されるデータ取得ユニットと、
衝突保護メモリ（ＣＰＭ）システムと
を備えるフライトデータレコーダであって、
前記衝突保護メモリ（ＣＰＭ）システムは、
側壁を備えるハウジングであって、前記側壁の少なくとも一部分は無線周波（ＲＦ）放射を実質的に通し、前記ハウジングは前記ハウジングの外部から密閉可能な内部空洞を含む、ハウジングと、
前記ハウジングの前記内部に位置する受信機であって、前記側壁の前記少なくとも一部分を介して送信機に通信可能に結合するように構成される、受信機と、
前記受信機を介して受け取られる前記複数のデータ信号を記憶するように構成される、前記受信機に通信可能に結合されるメモリと
を備える、フライトデータレコーダ。
【請求項１７】
前記ハウジングがセラミック材料からなる、請求項１６記載のフライトデータレコーダ。
【請求項１８】
前記受信機が、前記側壁の前記一部分を介してデータ信号および電力のうちの少なくとも一方を無線で受け取るように構成される、請求項１６記載のフライトデータレコーダ。
【請求項１９】
前記受信機が、前記空洞の中に位置する誘導コイルであって、前記空洞の中にある装置に電力を供給するように構成される、誘導コイルを含む、請求項１６記載のフライトデータレコーダ。
【請求項２０】
前記受信機がトランシーバの受信部分であり、前記トランシーバは、前記ハウジングの外部に位置する受信機にデータを伝送するようにさらに構成される、請求項１６記載のフライトデータレコーダ。
【発明の詳細な説明】
【技術分野】
【０００１】
本発明の分野は、一般に衝突保護メモリ（ＣＰＭ）に関し、より具体的には、ＣＰＭにデータを記憶するためのシステムおよび方法に関する。
【背景技術】
【０００２】
現代のクラッシュレコーダは、乗物の動作データおよびパフォーマンスデータ、ならびに複数の客室の音源および映像源を記録することが求められる。データ源および信号源の量と帯域幅が増えるにつれて、クラッシュレコーダのＣＰＭ部分との間のデータ帯域幅は増え続ける。さらに、衝突生存性要件は、ＣＰＭ内の電子装置に対する衝突事象にしばしば関連する高温火災の影響を減らすために、ＣＰＭ内外の電気信号経路の数を最小限に留めることを要求する。
【０００３】
現在のＣＰＭは、１２本以上の導線を使用する、独占権下にある電気的インターフェイスを利用する。ＣＰＭのハウジングを貫くその数本の導電線は、衝突事象などの異常事象に多くの場合関連する火災からの過度の熱を伝える。その過度の熱はＣＰＭ内部の回路内に伝達し、その回路内に記憶されたデータに危険をもたらす。
【先行技術文献】
【特許文献】
【０００４】
【特許文献１】国際公開第０２／３１７０９号
【発明の概要】
【課題を解決するための手段】
【０００５】
一実施形態では、衝突保護メモリ（ＣＰＭ）は、側壁を含むハウジングを含み、その側壁の少なくとも一部分は、無線周波（ＲＦ）放射を少なくとも部分的に通す。ハウジングは、ハウジングの外部から密閉可能な内部空洞を含む。このＣＰＭは、ハウジングの内部に位置する受信機も含む。その受信機は、側壁の少なくとも一部分を介して送信機に通信可能に結合するように構成される。このＣＰＭは、その受信機に通信可能に結合される、乗物の動作に関係するデータを記憶するためのメモリをさらに含む。
【０００６】
別の実施形態では、密閉されたハウジングで囲まれた保護メモリシステムにデータを伝送するための方法は、ハウジングの内部空洞の中に受信機を配置するステップと、ハウジングの外部に近接して送信機を配置するステップと、その送信機から受信機にハウジングを介してデータ信号および電力のうちの少なくとも一方を伝送するステップとを含む。
【０００７】
さらに別の実施形態では、フライトデータレコーダは、乗物の動作に関係する複数のデータ信号を受け取るように構成されるデータ取得ユニットと、ＣＰＭシステムとを含む。そのＣＰＭは、側壁を含むハウジングを含み、その側壁の少なくとも一部分は、無線周波（ＲＦ）放射を実質的に通す。ハウジングは、ハウジングの外部から密閉可能な内部空洞を含む。このフライトデータレコーダは、側壁の少なくとも一部分を介して送信機に通信可能に結合するように構成される、ハウジングの内部に位置する受信機も含む。このフライトデータレコーダは、受信機によって受け取られる複数のデータ信号を記憶するように構成される、受信機に通信可能に結合されるメモリデバイスをさらに含む。
【０００８】
図１〜２は、本明細書に記載するシステムおよび方法の例示的実施形態を示す。
【図面の簡単な説明】
【０００９】
【図１】本発明の例示的実施形態によるフライトデータレコーダの概略的ブロック図である。
【図２】本発明の例示的実施形態による、保護メモリシステムにデータを伝送するための方法の流れ図である。
【発明を実施するための形態】
【００１０】
以下の詳細な説明は、本発明の諸実施形態を限定としてではなく例として示す。本発明は、メモリコンポーネント上に記憶されたデータを工業的応用、商業的応用、および住宅応用の過酷な環境から守るためのシステムおよび方法への一般的応用を有すると考えられる。
【００１１】
本明細書で使用するとき、単数形で説明され、語「ａ」もしくは「ａｎ」の後に続く要素またはステップは、複数形の要素またはステップを除外することが明確に説明されていない限り、複数形の要素またはステップを除外するものではないと理解すべきである。さらに、本発明の「一実施形態」について言及することは、列挙する特徴を同様に含むさらなる実施形態があることを除外するものとして解釈されることを目的とするものではない。
【００１２】
図１は、本発明の例示的実施形態によるフライトデータレコーダ１００の概略的ブロック図である。この例示的実施形態では、フライトデータレコーダ１００は、複数のデータ信号１０４を受け取り、記憶用に一連のデータパケット１０６を生成するように構成されるデータ取得ユニット１０２を含む。フライトデータレコーダ１００は、コンジット１１３および送信機１１４と受信機１１６との組合せを介してデータ取得ユニット１０２に通信可能に結合される衝突保護メモリ（ＣＰＭ）１１２を含む。送信機１１４および受信機１１６は協働して、少なくとも１つの側壁１１８を含むＣＰＭ１１２のハウジング１１７を介し、データパケット１０６を伝達する。代替的実施形態では、送信機１１４および受信機１１６は、側壁１１８を介してデータを双方向に伝送するように構成されるそれぞれのトランシーバの一部である。送信機１１４および受信機１１６は、これだけに限定されないが、Ｂｌｕｅｔｏｏｔｈ、ＺｉｇＢｅｅ、ウルトラワイドバンド（ＵＷＢ）、ワイヤレスＵＳＢなどの標準プロトコルを使用して通信することができる。この例示的実施形態では、ＣＰＭ１１２は、乗物（不図示）の動作に関係するデータを記憶するために使用されるメモリデバイス１２０を含む。ＣＰＭ１１２は、側壁１１８を介して送電器または１次コイル１２４に結合するように構成される、受電器または２次コイル１２２も含む。１次コイル１２４は、側壁１１８の外側に位置し、２次コイル１２２は、側壁１１８の内側で１次コイル１２４に向かい合って位置し、空洞１２８の中にある装置に電力を供給するように構成される。側壁１１８は、２次コイル１２２および１次コイル１２４、ならびに送信機１１４および受信機１１６がある特定の部分においてのみ、無線周波（ＲＦ）および／または磁場を実質的に通すことができる。あるいは、側壁１１８は、ＣＰＭ１１２の全体にわたりＲＦ放射および／または磁場を実質的に通すことができる。１次コイル１２４は、電源１２６に電気的に結合される。
【００１３】
一実施形態では、ＣＰＭ１１２は、セラミック材料などの非金属材料で作られる。様々な実施形態において、ＣＰＭ１１２は、ＲＦ放射を少なくとも部分的に通す金属材料で作られる。例えば、ＣＰＭ１１２は、金属材料および非金属材料を含む複合材料で作ることができる。ＣＰＭ１１２外部の送信機とＣＰＭ１１２内部に位置する受信機とを使用し、側壁１１８を介してデータ信号および電力を伝送することにより、側壁１１８を貫通する電線および／または金属導線をなくし、またはその数を大幅に減らすことができる。ハウジングの側壁１１８を貫いて伸びる電線がないと、ＣＰＭ１１２の空洞１２８内への伝熱のための伝導経路が最小限に抑えられる。
【００１４】
一実施形態では、ハウジング１１７は、空洞１２８にアクセスできるようにする取外し可能な側壁または蓋１３０を含む。様々な実施形態において、蓋１３０は、側壁１１８の材料とは異なる材料で作ることができる。例えば、側壁１１８を金属または複合材で作ることができ、蓋１３０をセラミック材料で作ることができ、その逆も同様である。側壁１１８と蓋１３０とを同様の材料で作ることもできる。
【００１５】
図２は、密閉されたハウジングで囲まれた保護メモリシステムにデータを伝送するための方法２００の流れ図である。この例示的実施形態では、方法２００は、ハウジングの内部空洞の中に受信機を配置するステップ２０２と、ハウジングの外部に近接して送信機を配置するステップ２０４と、その送信機から受信機にハウジングを介してデータおよび電力のうちの少なくとも一方を伝送するステップ２０６とを含む。
【００１６】
本明細書で使用するとき、用語プロセッサは、中央処理装置、マイクロプロセッサ、マイクロコントローラ、縮小命令セット回路（ＲＩＳＣ）、特定用途向け集積回路（ＡＳＩＣ）、論理回路、および本明細書に記載の機能を実行することができる他の任意の回路またはプロセッサを指す。
【００１７】
本明細書で使用するとき、用語「ソフトウェア」と「ファームウェア」とは置き換えることができ、プロセッサ１１９が実行するためにメモリ内に記憶される任意のコンピュータプログラムを含む。プロセッサ１１９は、ＣＰＭ１１２内で使用することができ、またはＣＰＭ１１２の要件にもよるがなくてもよい。
【００１８】
本明細書で使用するとき、用語メモリには、ＲＡＭメモリ、ＲＯＭメモリ、ＥＰＲＯＭメモリ、ＥＥＰＲＯＭメモリ、および不揮発性ＲＡＭ（ＮＶＲＡＭ）メモリが含まれ得る。上記のメモリの種類は例示的に過ぎず、したがって、フライトデータレコーダ１００とともに使用可能なメモリの種類に関して限定するものではない。
【００１９】
上記の詳述に基づいて理解されるように、上記に記載した本開示の諸実施形態は、コンピュータソフトウェア、ファームウェア、ハードウェア、またはそれらの任意の組合せもしくはサブセットを含む、コンピュータプログラミング技法またはエンジニアリング技法を使用して実装することができ、その技術的効果は、ＣＰＭの外装ハウジングを介してデータ信号および／または電力を無線で伝送することである。ＣＰＭのハウジングの側壁を貫く金属導線をなくすと、熱による損傷を受けやすいコンポーネントが配置されるＣＰＭの空洞内への熱の侵入が減る。その結果生じるコンピュータ可読コード手段を有するそのような任意のプログラムは、１つまたは複数のコンピュータ可読媒体の中に具体化しまたは与え、それによりコンピュータプログラム製品、すなわち論じられた本開示の諸実施形態による製造品を作成することができる。そのコンピュータ可読媒体は、これだけに限定されないが、例えば固定（ハード）ドライブ、ディスケット、光ディスク、磁気テープ、読取り専用メモリ（ＲＯＭ）などの半導体メモリ、および／またはインターネットや他の通信ネットワークもしくはリンクなどの任意の送信／受信媒体とすることができる。このコンピュータコードを含む製造品は、ある媒体からコードを直接実行することにより、ある媒体から別の媒体にコードをコピーすることにより、またはネットワークを介してコードを伝送することにより、作成しかつ／または使用することができる。
【００２０】
保護メモリシステムにデータを伝送するための上記に記載したシステムおよび方法の諸実施形態は、ＣＰＭの側壁を貫く伝熱経路を与えることなしに、ＣＰＭ上にデータを記憶するための費用効果が高く高信頼の手段を提供する。より具体的には、本明細書に記載したシステムおよび方法は、ＣＰＭ外装の内外に通じる導電線およびＣＰＭの中に伝わる熱をなくすことにより、火災を伴う衝突の間ＣＰＭ内のメモリデバイスの生存性を高める無線データ／電力インターフェイスの独特の応用例を提供する。その結果、本明細書に記載したシステムおよび方法は、異常事象および調査中に、データを記憶することおよびその後データを回復することを費用効果が高く高信頼の方法で促進する。
【００２１】
保護メモリシステムにデータを伝送するための例示的システムおよび方法を上記に詳述した。示したシステムは本明細書に記載した特定の実施形態に限定されず、むしろ各々のコンポーネントは、本明細書に記載した他のコンポーネントから独立にかつ別々に利用することができる。各システムコンポーネントは、他のシステムコンポーネントと組み合わせて使用することもできる。
【００２２】
本書は、最良の形態を含む本発明を開示するために、さらに任意の装置またはシステムを作成／使用し、任意の組み込まれた方法を実行することを含めて、当業者が本発明を実施できるようにするために複数の例を使用する。特許性のある本発明の範囲は、特許請求の範囲によって定義し、当業者なら思いつく他の例を含むことができる。そうした他の例が特許請求の範囲の文言と相違ない構造的要素を有する場合、またはそうした他の例が、特許請求の範囲の文言との相違がごくわずかな等価の構造的要素を含む場合、そうした他の例も特許請求の範囲に含まれることを意図する。
【符号の説明】
【００２３】
１００  フライトデータレコーダ
１０２  データ取得ユニット
１０４  データ信号
１０６  データパケット
１１２  衝突保護メモリ（ＣＰＭ）
１１３  コンジット
１１４  送信機
１１６  受信機
１１７  ハウジング
１１８  側壁
１１９  プロセッサ
１２０  メモリデバイス
１２２  受電器、２次コイル
１２４  送電器、１次コイル
１２６  電源
１２８  空洞
１３０  蓋
【図１】
2012522310.tif 000003
【図２】
2012522310.tif 000004
【国際調査報告】
2012522310.tif 000005
2012522310.tif 000006
2012522310.tif 000007
2012522310.tif 000008